(57)【要約】      （修正有）【課題】帽子のクラウン部が大径であったり、あるいは小径であったりしてもフィットした状態で帽子のクラウン部に取り付けることができる着脱可能帽子装飾リボンを提供する。【解決手段】着脱可能帽子装飾リボン１０は、紳士用帽子のクラウン部の外周面に巻かれるようにして取り付けられるリボン本体１２と、リボン本体をクラウン部に固定する弾性紐状体１４と、から構成されている。リボン本体は布１６を帯状にして形成されている。布１６は長手方向に向かって複数の折り線２０で折られており、これによりリボン本体には第１プリーツ部２２、第２プリーツ部２４、第３プリーツ部２６が形成されている。【選択図】図１
0003208845.tif 000002
【実用新案登録請求の範囲】
【請求項１】
帽子のクラウン部の外周面にクラウン部を巻いた状態で取り付けられる帯状のリボン本体と、一端部が前記リボン本体のリボン本体一端部に他端部が前記リボン本体のリボン本体他端部にそれぞれ固定される弾性紐状体と、を有してなることを特徴とする着脱可能帽子装飾リボン。
【請求項２】
帽子のクラウン部の外周面に巻いた状態で取り付けられると共に前記クラウン部に巻くと少なくともリボン本体一端部とリボン本体他端部が重なり合う長さに形成された帯状のリボン本体と、一端部が前記リボン本体のリボン本体一端部に他端部が前記リボン本体のリボン本体他端部にそれぞれ固定されると共に前記クラウン部を巻くことができる長さに形成された弾性紐状体と、を有してなることを特徴とする着脱可能帽子装飾リボン。
【請求項３】
前記リボン本体に複数のプリーツ部を形成したことを特徴とする請求項１、請求項２のいずれか１項記載の着脱可能帽子装飾リボン。
【考案の詳細な説明】
【技術分野】
【０００１】
本考案は、帽子のクラウン部の外周面に巻かれた状態で取り付けられる帯状の帽子装飾リボンに関し、詳しくは帽子のクラウン部に着脱可能に取り付けることができる着脱可能帽子装飾リボンに関する。
【背景技術】
【０００２】
鍔部がクラウン部の全周に亘って設けられたソフト帽やパナマ帽等の帽子が従来より広く知られている。
このような帽子のクラウン部の外周面には帽子の外観デザインをより高めるためにクラウン部に帯状の装飾リボンが巻かれた状態で取り付けられている。
しかし、従来の装飾リボンは糸や糊等でクラウン部に固定されているため、装飾リボンをクラウン部から取り外して装飾リボンのみを他の装飾リボンに交換してクラウン部に取り付けることは困難である。
このため、帽子を一度購入するとクラウン部に取り付けられている装飾リボンを他の装飾リボンに交換することができず、帽子の装飾リボンが常に同じであることにより帽子の外観デザインがマンネリ化してしまうという不具合がある。
また、帽子の装飾リボンを変えるためには、装飾リボンの模様や色彩の異なる装飾リボンが取り付けられている新しい帽子を購入しなければならず、経済的に負担となる不具合がある。
そこで、帽子に着脱可能に取り付けることができる帽子用飾りバンドが提案されている（例えば引用文献１）。
この帽子用飾りバンドは、伸縮性を有する素材で開口部を設けたリング状に形成されており、帽子のクラウン部を前記開口部に挿入することにより帽子用飾りバンドを帽子に取り付けることができるようになっている。
【先行技術文献】
【特許文献】
【０００３】
【特許文献１】実開平６−３０１２５号公報
【考案の概要】
【考案が解決しようとする課題】
【０００４】
しかし、前記帽子用飾りバンドは、帽子用飾りバンド全体が伸縮性を有する素材で同じ幅寸法でリング状に形成されているため、クラウン部の外径寸法が開口部よりも大きすぎると取り付けた帽子用飾りバンドがクラウン部を押圧してクラウン部の型崩れを促し、クラウン部の外径寸法が開口部よりも小さすぎると帽子用飾りバンドの取り付けが緩くて帽子用飾りバンドが動いたりしてしまい帽子の見栄えが悪くなるという不具合がある。
【０００５】
本考案は、上記事実に鑑みなされたものであり、取り付ける帽子のクラウン部が大径であったり、あるいは小径であったりしてもフィットした状態で帽子のクラウン部に取り付けることができる着脱可能帽子装飾リボンを提供するものである。
【課題を解決するための手段】
【０００６】
請求項１の考案は、帽子のクラウン部の外周面にクラウン部を巻いた状態で取り付けられる帯状のリボン本体と、一端部が前記リボン本体のリボン本体一端部に他端部が前記リボン本体のリボン本体他端部にそれぞれ固定される弾性紐状体と、を有してなることを特徴としている。
請求項２の考案は、帽子のクラウン部の外周面に巻いた状態で取り付けられると共に前記クラウン部に巻くと少なくともリボン本体一端部とリボン本体他端部が重なり合う長さに形成された帯状のリボン本体と、一端部が前記リボン本体のリボン本体一端部に他端部が前記リボン本体のリボン本体他端部にそれぞれ固定されると共に前記クラウン部を巻くことができる長さに形成された弾性紐状体と、を有してなることを特徴としている。
請求項３の考案は、前記リボン本体に複数のプリーツ部を形成したことを特徴としている。
【考案の効果】
【０００７】
本考案の着脱可能帽子装飾リボンは、帽子のクラウン部の外径寸法の大小に関係なくフィットした状態で帽子のクラウン部に容易に取り付けたり取り外したりすることができるという優れた効果を有する。
本考案の着脱可能帽子装飾リボンは、帽子のクラウン部に取り付けた場合にリボン本体のリボン本体一端部とリボン本体他端部が重なり合うので、既存のリボンと同じような外観デザインとなり、あたかも着脱可能帽子装飾リボンを取り付けた印象を看者に与えないで帽子の見栄えが悪くなることを防止できるという優れた効果を有する。
本考案の着脱可能帽子装飾リボンは、費用を抑えて帽子の外観デザインを変えたり帽子の外観デザインのマンネリ化を防止することができるという優れた効果を有する。
【図面の簡単な説明】
【０００８】
【図１】第１実施例の着脱可能帽子装飾リボンの全体斜視図である。
【図２】第１実施例の着脱可能帽子装飾リボンのリボン本体の拡大縦断面図である。
【図３】第１実施例の着脱可能帽子装飾リボンを帽子に取り付けた状態の全体斜視図である。
【図４】第１実施例の着脱可能帽子装飾リボンを帽子に取り付けた状態の一部拡大図である。
【図５】第２実施例の着脱可能帽子装飾リボンの全体斜視図である。
【考案を実施するための形態】
【０００９】
考案を実施するために最良の形態の例として以下のような実施例を示す。
【実施例１】
【００１０】
図１〜図４には本考案に係る着脱可能帽子装飾リボンの第１実施例が示されている。
図１に示されるように、着脱可能帽子装飾リボン１０は、紳士用帽子１のクラウン部２の外周面に巻かれるようにして取り付けられるリボン本体１２と、このリボン本体１２をクラウン部２に固定する弾性紐状体１４と、から構成されている。
【００１１】
前記リボン本体１２は、適宜素材で形成された帯状の布１６で形成されている。この実施例では前記布１６の表面１６Ａには模様１８が印刷されているが、裏面１６Ｂには模様１８は印刷されていない。
【００１２】
図１及び図２に示されるように、前記布１６は長手方向に向かって複数の折り線２０で折られており、折り線２０を複数形成することにより前記リボン本体１２には第１プリーツ部２２、第２プリーツ部２４、第３プリーツ部２６が形成されている。
【００１３】
図１に示されるように、第１プリーツ部２２の一端部、第２プリーツ部２４の一端部、第３プリーツ部２６の一端部は互いに重ね合わされてリボン本体一端部１２Ａが形成されている。
【００１４】
また、第１プリーツ部２２の他端部、第２プリーツ部２４の他端部、第３プリーツ部２６の他端部は互いに重ね合わされてリボン本体他端部１２Ｂが形成されている。
【００１５】
前記リボン本体一端部１２Ａには前記弾性紐状体１４の一端部１４Ａが挿入された状態で固定されている。
また、前記リボン本体他端部１２Ｂには前記弾性紐状体１４の他端部１４Ｂが挿入された状態で固定されている。
【００１６】
この実施例では、前記弾性紐状体１４として公知のゴム紐が使用されている。
なお、この弾性紐状体１４は伸ばすと紳士用帽子１のクラウン部２に巻き付けることができる長さに形成されている。
【００１７】
次に、第１実施例の着脱可能帽子装飾リボン１０の作用を紳士用帽子１のクラウン部２に取り付ける場合を一例にして説明する。
【００１８】
前記着脱可能帽子装飾リボン１０を紳士用帽子１のクラウン部２に取り付ける場合は、紳士用帽子１のクラウン部２に最初から取り付けられている装飾リボン（図示せず）の上にリボン本体１２を配設してリボン本体１２を巻いてリボン本体一端部１２Ａとリボン本体他端部１２Ｂを重ね合わせる。
【００１９】
次に、弾性紐状体１４を伸ばしてクラウン部２に伸ばした弾性紐状体１４を巻き付ける。
最後に、弾性紐状体１４をリボン本体１２の下に位置させて弾性紐状体１４の大部分が露出しないように隠す。
これにより、図３に示されるように、着脱可能帽子装飾リボン１０を紳士用帽子１のクラウン部２に巻き付けた状態で取り付けることができる。
【００２０】
紳士用帽子１のクラウン部２に実施例の着脱可能帽子装飾リボン１０を巻き付けた状態で取り付けた場合、主にクラウン部２を締め付けるのは細い弾性紐状体１４であるので、クラウン部２が外径寸法が大きくても弾性紐状体１４がクラウン部２を押圧し過ぎてクラウン部２が型崩れを起こすことを防ぐことができる。
【００２１】
また、クラウン部２の外径寸法が小さくても弾性紐状体１４がクラウン部２を締め付けるので、着脱可能帽子装飾リボン１０が動いたりして紳士用帽子１の見栄えが悪くなるようなことを阻止できる。
【００２２】
これにより、紳士用帽子１のクラウン部２の外径寸法に関係なく、着脱可能帽子装飾リボン１０を紳士用帽子１がクラウン部２の外周にフィットした状態で取り付けることができる。
【００２３】
また、着脱可能帽子装飾リボン１０を紳士用帽子１のクラウン部２に取り付けることにより、紳士用帽子１の外観デザインが変わるので紳士用帽子１の外観デザインのマンネリ化を防ぐことができる。
【００２４】
しかも、着脱可能帽子装飾リボン１０の価格は、紳士用帽子１の価格よりもかなり低額であるので、紳士用帽子１を購入しなくても着脱可能帽子装飾リボン１０を購入するだけで経済的に紳士用帽子１の外観デザインを変えることができる。
【００２５】
さらに、模様や色彩の異なる着脱可能帽子装飾リボン１０を複数購入して置き、紳士用帽子１を着用する際のＴＰＯや着用する時の気分等に応じた模様や色彩の着脱可能帽子装飾リボン１０を選択、使用する楽しみが増えると共に紳士用帽子１の着用ファッションを楽しむことができる。
【００２６】
また、本考案の着脱可能帽子装飾リボン１０は、帽子１のクラウン部２に取り付けた場合にリボン本体１２のリボン本体一端部１２Ａとリボン本体他端部１２Ｂが重なり合う状態になるので既成のリボンと同じような外観印象を看者に与え別途に取り付けられた着脱可能帽子装飾リボン１０であるとの印象を看者に与えることを抑えることができる。
【００２７】
また、着脱可能帽子装飾リボン１０を紳士用帽子１に取り付ける際に弾性紐状体１４をリボン本体１２の下に位置させることにより弾性紐状体１４の大部分はリボン本本１２に隠れて露出しないので、弾性紐状体１４の大部分が露出することによる紳士用帽子１の見栄えの低下を防ぐことができる。
【００２８】
なお、リボン本体１２を紳士用帽子１のクラウン部２の外周に取り付ける場合、弾性紐状体１４をリボン本体１２の下に位置させて弾性紐状体１４を隠したが、第１プリーツ部２２又は第２プリーツ部２４又は第３プリーツ部２６の下に位置させて弾性紐状体１４を隠すようにしてもよい。
【００２９】
また、実施例の着脱可能装飾リボン１０を使用することにより紳士用帽子１の外観デザインのマンネリ化を防ぐことができるので、紳士用帽子１を新たに購入する必要性を抑えることができ経済的である。
【００３０】
なお、紳士用帽子１のクラウン部２に取り付けられた前記着脱可能帽子装飾リボン１０を取り外す場合は、クラウン部２に巻かれている弾性紐状体１４をクラウン部２から外せば容易に着脱可能帽子装飾リボン１０を紳士用帽子１から取り外すことができる。
【００３１】
図５には着脱可能帽子装飾リボンの第２実施例が示されている。なお、第１実施例の着脱可能帽子装飾リボン１０と同一の構成は同一の符号を用いてその説明は省略する。
【００３２】
第２実施例の着脱可能帽子装飾リボン３０のリボン本体３２は、プリーツ部は形成されておらず、フラットな布３４で帯状に形成されている。
前記リボン本体３２のリボン本体一端部３２Ａには弾性紐状体１４の一端部１４Ａが固定され、リボン本体３２のリボン本体他端部３２Ｂには弾性紐状体１４の他端部１４Ｂが固定されている。
【００３３】
従って、第２実施例の着脱可能帽子装飾リボン３０においては、リボン本体３２が第１実施例の着脱可能帽子装飾リボン１０のリボン本体１２よりも構成がシンプルであるので製造コストを抑えることができ、着脱可能帽子装飾リボン３０の提供価格を抑えることができる。
【００３４】
なお、他の構成及び作用は第１実施例の着脱可能帽子装飾リボン１０と同一であるので、その説明は省略する。
【００３５】
なお、第１実施例、第２実施例では布１６，３４に模様１８を印刷した場合を示したが、模様１８が印刷されていない布１６，３４でリボン本体１２，リボン本体３２を形成してもよいことは勿論である。
【００３６】
また、第１実施例ではリボン本体１２に第１プリーツ部２２、第２プリーツ部２４、第３プリーツ部２６の３つのプリーツ部を形成した場合を示したが、リボン本体１２に形成されるプリーツ部は２つ以下でも４つ以上でもよいことは勿論である。
【００３７】
なお、第１実施例ではリボン本体１２を布１６で形成し、第２実施例ではリボン本体３２を布３４で形成したが、リボン本体１２，３２は布１６，３４に限定されるものでなく、例えば和紙等の紙や薄い皮革等をはじめとする他の素材で形成してもよいことは勿論である。
【００３８】
なお、第１実施例及び第２実施例では、前記弾性紐状体１４として公知のゴム紐を使用したが、弾性体であればゴム紐に限定されるものでないことは勿論である。
【００３９】
なお、第１実施例及び第２実施例では着脱可能帽子装飾リボンを紳士用帽子に使用した場合を示したが、着脱可能帽子装飾リボンは紳士用帽子だけでなく、例えば婦人用帽子やキャップ帽子等をはじめとした色々なタイプの帽子に使用してもよい。
【符号の説明】
【００４０】
１０    着脱可能帽子装飾リボン
１２    リボン本体
１２Ａ  リボン本体一端部
１２Ｂ  リボン本体他端部
１４    弾性紐状体
１６    布
１８    模様
２０    折り線
２２    第１プリーツ部
２４    第２プリーツ部
２６    第３プリーツ部
３０    着脱可能帽子装飾リボン
３２    リボン本体
３４    布
【図１】
0003208845.tif 000003
【図２】
0003208845.tif 000004
【図３】
0003208845.tif 000005
【図４】
0003208845.tif 000006
【図５】
0003208845.tif 000007